(57)【要約】      （修正有）【課題】使用者が容易に角度設定を行える電子機器の多段階角度設定構造を提供する。【解決手段】電子機器１１にベース部材２１が係合し、ベース部材２１の回動によって筐体の設置面と操作面または表示面からなる角度を変更する。回動において、電子機器１１に設置されたストッパー３１とベース部材に係合された回転軸２４に設けられた突起２５が係合し、また、ストッパー３１が自然に解除されないように、ストッパー３１を回転軸２４側に押動するバネ部材が設けられている。角度変更時には係合していたストッパー３１及び突起２５が外れ、次の角度をなす突起にストッパーが係合される。また逆方向への回動はストッパー３１に設けられたスライドスイッチを複動させることで、ストッパー３１と回転軸の係合が解除され逆方向のベース部材の回動が可能になる。【選択図】図１
0003180297.tif 000002
【実用新案登録請求の範囲】
【請求項１】
筐体を構成するベース部材と前記ベース部材が接続される電子機器から成る、前記電子機器を設置する際の角度設定構造であって、
前記ベース部材は、前記電子機器と回転自在に係合する係合部に設けられた回転軸と、前記回転軸に設けられた１以上の突起を有し、前記電子機器は、前記ベース部材との係合部に前記回転軸の突起と嵌合して前記ベース部材の回動を固定するストッパーと、前記ストッパーを前記回転軸に押し付ける方向に働くバネ部材とを有し、
前記ベース部材を所定の方向に回動させる場合に、前記回転軸に設けられた突起と前記ストッパーの接触面が摺動して前記回転軸から離れる方向に押上げ、前記ストッパーに係合する前記バネ部材は圧縮され、前記突起の頂点を越えると再び前記バネ部材の反力により前記ストッパーと次の突起とが係合することを特徴とする電子機器の多段階角度設定構造。
【考案の詳細な説明】
【技術分野】
【０００１】
本考案は、卓上で使用するときに設置角度を設定できる角度設定構造を有する電子機器に関するものである。
【背景技術】
【０００２】
従来の電子機器の設置角度設定構造として、筐体底部とベース部材の片側が回転して係合し、筐体底部と回転して係合しているスタンドが筐体を支持することにより、電子機器の設置角度を設定するものがある（例えば、特許文献１）。
【０００３】
上述した特許文献１に記載の角度設定構造においては、スタンドに２つのベース部材を使用した角度設定構造のため、使用者がスタンドの角度変更時に複数のベース部材を操作する必要があり、従来の角度設定構造では使用者が容易に角度変更できないことが懸念される。
【先行技術文献】
【特許文献】
【０００４】
【特許文献１】特開２００４−２６６０８７号公報
【考案の概要】
【考案が解決しようとする課題】
【０００５】
本考案の課題は、上記の問題点を解決するために、１つのベース部材の操作だけで容易に設置角度を変更することができ、かつ、多段階の角度設定構造を提供することにある。
【課題を解決するための手段】
【０００６】
本考案は、筐体を構成するベース部材と前記ベース部材が接続される電子機器から成る、前記電子機器を設置する際の角度設定構造であって、前記ベース部材は、前記電子機器と回転自在に係合する係合部に設けられた回転軸と、前記回転軸に設けられた１以上の突起を有し、前記電子機器は、前記ベース部材との係合部に前記回転軸の突起と嵌合して前記ベース部材の回動を固定するストッパーと、前記ストッパーを前記回転軸に押し付ける方向に働くバネ部材とを有し、前記ベース部材を所定の方向に回動させる場合に、前記回転軸に設けられた突起と前記ストッパーの接触面が摺動して前記回転軸から離れる方向に押上げ、前記ストッパーに係合する前記バネ部材は圧縮され、前記突起の頂点を越えると再び前記バネ部材の反力により前記ストッパーと次の突起とが係合することを特徴とする。
【考案の効果】
【０００７】
本考案によれば、１つのベース部材を操作することで設置角度を変更することができ、かつ、多段階の角度設定構造を提供できる。
【図面の簡単な説明】
【０００８】
【図１】（ａ）本考案における電子機器の多段階角度設定構造の構成を示す斜視図        （ｂ）多段階角度設定構造部の拡大図
【図２】電子機器の斜視図
【図３】ベース部材の斜視図
【図４】ストッパー及びバネ部材が組合された斜視図
【考案を実施するための形態】
【０００９】
図１は（ａ）に本考案における電子機器の多段階角度設定構造の構成を示す斜視図を示し、（ｂ）に多段階角度設定構造部を拡大した図を示す。図１（ａ）の筐体は、電子機器１１とベース部材２１から構成されており、図１（ｂ）の電子機器１１とベース部材２１の係合部は、ベース部材２１に設けられた凸部２３と、回転軸２４と、突起２５と、電子機器１１に設けられたストッパー３１と、バネ部材４１と、ストッパー３１に設けられたスライドスイッチ３２で構成されている。角度設定の動作については後述する。
【００１０】
図２は電子機器１１の斜視図である。電子機器１１には、ベース部材２１の回転軸２４と係合する凹部１２と、ベース部材２１と係合する凹部１３が設けられている。また、ストッパー３１が取付けられる空間１４と、バネ部材４１が取付けられる空間１５が設けられている。
【００１１】
図３はベース部材２１の斜視図である。ベース部材２１には回転軸２４が係合されており、また、回転軸２４と係合する凸部２２と、電子機器１１と係合する凸部２３が設けられている。さらに、回転軸２４には、ストッパー３１と係合する突起２５が設けてある。
【００１２】
図４はストッパー３１及びバネ部材４１が組合された斜視図を示す。ストッパー３１は回転軸２４に設けられた突起２５と係合する。バネ部材４１はベース部材２１の角度設定を変更する際に、ストッパー３１を回転軸２４に向かい押し付け、ストッパー３１が突起２５から自然に解除されないように嵌合させる役割を果たす。また、ストッパー３１には使用者が操作するスライドスイッチ３２が設けられており、バネ部材４１を縮む方向に押下することにより、突起２５との嵌合を解除する。
【００１３】
多段階角度設定構造について図１を用いて説明する。まず、ベース部材２１を回転方向Ａに回動する場合について説明する。ベース部材２１を回転方向Ａに回動させると、回転軸２４に設けられた突起２５がストッパー３１をＣ方向に押動しながら回転し、係合が解除されるとともに次の突起へストッパー３１が移動する。ストッパー３１は圧縮されたバネ部材４１の反力により、ベース部材２１の角度が変更された際にはストッパー３１がＤ方向に押動され、再度ストッパー３１が突起２５と係合する。そのため、ベース部材２１を回転方向Ｂへ回動させたとしても、突起２５がストッパーをＣ方向へ押動しない構造であるため、ストッパー３１と突起２５の係合が自然に解除されず、Ｂ方向への回動を防止している。
【００１４】
次に、設置角度を戻すためにベース部材２１を回転方向Ｂに回動する場合について説明する。先に説明した通り、ストッパー３１が突起２５と係合している状態では、回転方向Ｂへの回動は行うことが出来ない。そのため、筐体側面部から突出するストッパー３１に設けられたスライドスイッチ３２を利用者がＣ方向に押動させて、ストッパー３１と突起２５の係合を解除する。ストッパー３１と突起２５の係合を解除させた状態のまま、ベース部材２１を回動させることで、回転方向Ｂへと回動させることが可能である。
【００１５】
このように、本考案によれば従来の角度設定構造よりも小さい部品で多段階の角度設定を提供でき、かつ角度設定方法が簡単なため使用者も容易に角度設定を行うことが可能である。また、本考案を実施することで、従来の角度設定構造よりも部品が小型化されることにより、製造及び管理コストの低減を可能とし、更に、従来の角度設定構造では、設置角度を変更しても筐体が占める設置面積は一定であったが、本考案によれば、設置角度を変更することで設置面積を変えることができ、従来よりも狭い場所に筐体を配置することが可能となる。尚、本考案を実施するに当たり、趣旨を逸脱しない範囲での変更が可能である。本実施例においては角度設定に用いた突起２５を６個として実施例では表現されているが、この限りではない。また、本実施例ではベース部材２１とベース部材２１に取付けられている回転軸２４のように別々の部材となっているものは、一体の部品として用いることも可能である。
【符号の説明】
【００１６】
１１  電子機器
１２  回転軸と係合する凹部
１３  ベース部材と係合する凹部
１４  空間−ストッパー用
１５  空間−スライドスイッチ突出用
２１  ベース部材
２２  回転軸に設けられた凸部
２３  ベース部材に設けられた凸部
２４  回転軸
２５  突起
３１  ストッパー
３２  スライドスイッチ
４１  バネ部材
【図１】
0003180297.tif 000003
【図２】
0003180297.tif 000004
【図３】
0003180297.tif 000005
【図４】
0003180297.tif 000006